(57)【特許請求の範囲】
【請求項１】
第１の中心周波数特性を有する第１のバンドパスフィルタ手段と、前記第１の中心周波数特性とは異なる第２の中心周波数特性を有する第２のバンドパスフィルタ手段と、前記第１のバンドパスフィルタ手段の一方端と前記第２のバンドパスフィルタ手段の一方端とを接続する伝送線路と、前記伝送線路に形成される分岐点とを備えるフィルタのフィルタ特性を調整可能なフィルタ特性調整方法であって、
前記フィルタには前記分岐点を介して信号が入力可能であり、又は、前記フィルタから前記分岐点を介して信号を出力可能であり、
前記第１のバンドパスフィルタ手段及び前記第２のバンドパスフィルタ手段の少なくとも一方には減衰極が生じるように設計され、
前記分岐点から前記第１のバンドパスフィルタ手段及び／又は前記第２のバンドパスフィルタ手段までの前記伝送線路における電気長を変更することにより、又は、前記分岐点から前記第１のバンドパスフィルタ手段までの前記伝送線路における電気長と前記分岐点から前記第２のバンドパスフィルタ手段までの前記伝送線路における電気長との比を変更することにより、前記分岐点が形成される位置を調整して、前記減衰極が生じる周波数域を、前記減衰極が生じたバンドパスフィルタ手段のスカート特性を示す周波数域又はノイズの周波数域に調整することにより、前記減衰極によりスカート特性をよりシャープにし又はノイズを除去してフィルタ特性を調整する、フィルタ特性調整方法。
【請求項２】
第１の中心周波数特性を有する第１のバンドパスフィルタ手段と、前記第１の中心周波数特性とは異なる第２の中心周波数特性を有する第２のバンドパスフィルタ手段と、前記第１のバンドパスフィルタ手段の一方端と前記第２のバンドパスフィルタ手段の一方端とを接続する伝送線路と、前記伝送線路に形成される分岐点とを備えるフィルタにおいて、
前記第１のバンドパスフィルタ手段及び前記第２のバンドパスフィルタ手段の少なくとも一方には減衰極が生じるように設計され、
前記分岐点から前記第１のバンドパスフィルタ手段及び／又は前記第２のバンドパスフィルタ手段までの前記伝送線路における電気長が変更されることにより、又は、前記分岐点から前記第１のバンドパスフィルタ手段までの前記伝送線路における電気長と前記分岐点から前記第２のバンドパスフィルタ手段までの前記伝送線路における電気長との比が変更されることにより、前記分岐点が形成される位置が調整されて、前記減衰極が生じる周波数域が、前記減衰極が生じたバンドパスフィルタ手段のスカート特性を示す周波数域又はノイズの周波数域に調整されることにより、前記減衰極によりスカート特性がよりシャープにされ又はノイズが除去されてフィルタ特性が調整された、フィルタ。
【請求項３】
前記第１のバンドパスフィルタ手段による周波数帯域と前記第２バンドパスフィルタ手段による周波数帯域とは重ならずに区別されて設定された、請求項２記載のフィルタ。
【請求項４】
前記第１のバンドパスフィルタ手段による周波数帯域と前記第２のバンドパスフィルタによる周波数帯域とが重なって広域に設定された、請求項２記載のフィルタ。
【請求項５】
互いに中心周波数特性が異なる３つ以上のバンドパスフィルタ手段と、前記３つ以上のバンドパスフィルタ手段のうち少なくとも２つが接続する伝送線路と、前記伝送線路に形成される分岐点とを備えるフィルタにおいて、
前記３つ以上のバンドパスフィルタ手段の少なくともいずれかには減衰極が生じるように設計されるとともに、前記分岐点の形成位置が調節されて前記減衰極が生じる周波数域が調整されて、前記減衰極によりスカート特性がよりシャープにされて又はノイズが除去されてフィルタ特性が調整された、フィルタ。
【請求項６】
前記各バンドパスフィルタ手段による周波数帯域は互いに重ならずに区別されて設定された、請求項５記載のフィルタ。
【請求項７】
前記３つ以上のバンドパスフィルタ手段のうち中心周波数特性が隣り合う少なくとも２つのバンドパスフィルタ手段による周波数帯域が重なって広域に設定された、請求項５記載のフィルタ。
【発明の詳細な説明】
【技術分野】
【０００１】
本発明は、フィルタ特性調整方法、フィルタ特性調整装置、フィルタ、及び、通信装置に関し、特に減衰極が生じるフィルタの特性を調整する方法等に関する。
【背景技術】
【０００２】
移動体通信或いは衛星通信などの分野において、超伝導の低損失という特性を利用したマイクロ波デバイスの開発が期待されている。例えば、マイクロ波フィルタは、低損失でシャープなスカート特性を実現できることから、移動体通信への応用として多くのものが提案されてきた（非特許文献１参照）。【０００３】
図１７は、従来のフィルタ（超伝導分配器）の一例を示した図である。【０００４】
超伝導分配器としてのフィルタ５１は、マイクロストリップライン構造のヘアピン共振器で構成され、第１フィルタ５３と、第２フィルタ５５とを備える。例えば、第１フィルタ５３と第２フィルタ５５は、チェビシェフ型フィルタである。そして、例えば、２GHz帯の信号が給電点Ａから入力されることにより、１．９４GHz〜１．９６GHzの帯域の信号が第２フィルタ５５を経て給電点Ｃに伝搬し、２．１３GHz〜２．１５GHzの帯域の信号が第１フィルタ５３を経て給電点Ｂに伝搬する。ここで、第１フィルタ５３と第２フィルタ５５という各フィルタに対して等しく電力分配が行われるように設計されている。すなわち、給電点Ａである分岐点と各フィルタとの電気長は等しく設計されている。【０００５】
なお、発明者は、減衰極を生じさせたフィルタの高性能化と小型化を図る発明を提案してきた（非特許文献２参照）【０００６】
【非特許文献１】竹澤基範、他５名著、「高温超伝導体分配器の設計と評価」2003年電子情報通信学会エレクトロニクスソサイエティ大会C-2-44、p68
【非特許文献２】川上晃治、古賀文憲、金谷晴一、吉田啓二著、「四分の一波長共振器を用いた高温超伝導コプレーナフィルタの開発」電子情報通信学会技術研究報告（SCE2004-4）、2004、p19〜24
【発明の開示】
【発明が解決しようとする課題】
【０００７】
しかしながら、本願発明者は、従来では発想されていなかった「分岐点と各フィルタと間の電気長を変更する」ことに着目した。【０００８】
ゆえに、本発明の目的は、減衰極が生じる場合において、分岐点と各フィルタとの間の電気長を変更することにより、フィルタの高性能化と小型化を可能にするフィルタ特性調整方法及び調整装置、並びに高性能化と小型化が図られたフィルタ及び通信装置を提供することである。
【課題を解決するための手段】
【０００９】
請求項１に係る発明は、第１の中心周波数特性を有する第１のバンドパスフィルタ手段と、前記第１の中心周波数特性とは異なる第２の中心周波数特性を有する第２のバンドパスフィルタ手段と、前記第１のバンドパスフィルタ手段の一方端と前記第２のバンドパスフィルタ手段の一方端とを接続する伝送線路と、前記伝送線路に形成される分岐点とを備えるフィルタのフィルタ特性を調整可能なフィルタ特性調整方法であって、前記フィルタには前記分岐点を介して信号が入力可能であり、又は、前記フィルタから前記分岐点を介して信号を出力可能であり、前記第１のバンドパスフィルタ手段及び前記第２のバンドパスフィルタ手段の少なくとも一方には減衰極が生じるように設計され、前記分岐点から前記第１のバンドパスフィルタ手段及び／又は前記第２のバンドパスフィルタ手段までの前記伝送線路における電気長を変更することにより、又は、前記分岐点から前記第１のバンドパスフィルタ手段までの前記伝送線路における電気長と前記分岐点から前記第２のバンドパスフィルタ手段までの前記伝送線路における電気長との比を変更することにより、前記分岐点が形成される位置を調整して、前記減衰極が生じる周波数域を、前記減衰極が生じたバンドパスフィルタ手段のスカート特性を示す周波数域又はノイズの周波数域に調整することにより、前記減衰極によりスカート特性をよりシャープにし又はノイズを除去してフィルタ特性を調整するものである。
【００１０】
なお、このようなフィルタ特性調整方法をフィルタ特性調整装置として捉え直してもよく、さらにフィルタ特性調整方法をコンピュータに実行させるプログラム、そのプログラムを記録した記録媒体として捉え直してもよい。【００１４】
請求項２に係る発明は、第１の中心周波数特性を有する第１のバンドパスフィルタ手段と、前記第１の中心周波数特性とは異なる第２の中心周波数特性を有する第２のバンドパスフィルタ手段と、前記第１のバンドパスフィルタ手段の一方端と前記第２のバンドパスフィルタ手段の一方端とを接続する伝送線路と、前記伝送線路に形成される分岐点とを備えるフィルタにおいて、前記第１のバンドパスフィルタ手段及び前記第２のバンドパスフィルタ手段の少なくとも一方には減衰極が生じるように設計され、前記分岐点から前記第１のバンドパスフィルタ手段及び／又は前記第２のバンドパスフィルタ手段までの前記伝送線路における電気長が変更されることにより、又は、前記分岐点から前記第１のバンドパスフィルタ手段までの前記伝送線路における電気長と前記分岐点から前記第２のバンドパスフィルタ手段までの前記伝送線路における電気長との比が変更されることにより、前記分岐点が形成される位置が調整されて、前記減衰極が生じる周波数域が、前記減衰極が生じたバンドパスフィルタ手段のスカート特性を示す周波数域又はノイズの周波数域に調整されることにより、前記減衰極によりスカート特性がよりシャープにされ又はノイズが除去されてフィルタ特性が調整されたものである。
【００１５】
なお、例えば、アンテナから受信した信号が分岐点を介して第１のバンドパスフィルタ手段を通過し、第２のバンドパスフィルタ手段を通過した信号が分岐点を介してアンテナに送られて外部に送信されてもよく、マルチ型の受信（アンテナから受信した信号が分岐点を介して第１のバンドパスフィルタ手段或いは第２のバンドパスフィルタ手段を通過する。）でもよく、マルチ型の送信（第１のバンドパスフィルタ手段或いは第２のバンドパスフィルタ手段を通過した信号が分岐点を介してアンテナに送られて外部に送信される。）でもよい。この場合、通信は同時に行われてもよい（ここでの同時通信には、同時双方向のほか、一方向だが複数周波数で異なった情報が送信又は受信できることなどが含まれる。）。これにより、例えば非接触ＩＣカード或いはＲＦＩＤタグにおいて、セキュリティコードの分散通信における安全性を向上させることも可能となる。【００１８】
請求項３に係る発明は、請求項２において、前記第１のバンドパスフィルタ手段による周波数帯域と前記第２バンドパスフィルタ手段による周波数帯域とは重ならずに区別されて設定されたものである。
【００１９】
請求項４に係る発明は、請求項２において、前記第１のバンドパスフィルタ手段による周波数帯域と前記第２のバンドパスフィルタによる周波数帯域とが重なって広域に設定されたものである。
【００２０】
請求項５に係る発明は、互いに中心周波数特性が異なる３つ以上のバンドパスフィルタ手段と、前記３つ以上のバンドパスフィルタ手段のうち少なくとも２つが接続する伝送線路と、前記伝送線路に形成される分岐点とを備えるフィルタにおいて、前記３つ以上のバンドパスフィルタ手段の少なくともいずれかには減衰極が生じるように設計されるとともに、前記分岐点の形成位置が調節されて前記減衰極が生じる周波数域が調整されて、前記減衰極によりスカート特性がよりシャープにされて又はノイズが除去されてフィルタ特性が調整されたものである。
【００２１】
請求項６に係る発明は、請求項５において、前記各バンドパスフィルタ手段による周波数帯域は互いに重ならずに区別されて設定されたものである。
【００２２】
請求項７に係る発明は、請求項５において、前記３つ以上のバンドパスフィルタ手段のうち中心周波数特性が隣り合う少なくとも２つのバンドパスフィルタ手段による周波数帯域が重なって広域に設定されたものである。
【発明の効果】
【００２６】
以上のように本発明によれば、減衰極が生じる周波数域を調整可能なため、フィルタのフィルタ特性を調整でき、フィルタの高性能化を図ることが可能となる。この高性能化は多段化による高性能化と異なり、多段化を抑える方向に働くためフィルタの小型化を図ることが可能となる。また、多段化を抑えることは入力された信号の減衰を抑えることができ、減衰した信号を増幅する必要性の軽減などを図ることも可能となり、電力消費の点からも有利なものとなる。
【図面の簡単な説明】
【００２７】
【図１】本発明の実施の形態に係る通信装置の全体を示す概略図である。
【図２】図１の通信装置１のコプレーナフィルタ３により生じる減衰極を調整してフィルタ特性を調整するフィルタ特性調整装置を示す図である。
【図３】直線型のコプレーナフィルタを示した模式図である。
【図４】図３における電気長Ｌの調節によるシミュレーション結果を示す図である。
【図５】メアンダ型のコプレーナフィルタを示した模式図である。
【図６】図２の第１バンドパスフィルタ５（中止周波数が４．６３５GHz）を受信側とし、図２の第２バンドパスフィルタ７（中止周波数が４．９GHz）を送信側とした場合の試作フィルタ（分波器）による結果を示す図である。
【図７】図６での試作フィルタと異なって受信側を３段とした場合を示す回路図である。
【図８】図７に示したフィルタ構成において電気長Ｌを変更して減衰極が生じる周波数域を調整した後に得られる結果を示す図である。
【図９】図８におけるアイソレーションを示す図である。
【図１０】図７に示す回路図と異なって１段飛び越し結合も含められた回路図である。
【図１１】図１０に示したフィルタ構成において電気長Ｌを変更して減衰極が生じる周波数域を調整と送信側周波数である４．９GHzに１段飛び越し結合による減衰極を生じさせた結果を示す図である。
【図１２】図１１におけるアイソレーションを示す図である。
【図１３】３個のアンテナのそれぞれに３段のバンドパスフィルタ一体型コプレーナ導波路（ＣＰＷ）整合回路のそれぞれを接続して３つのチャンネルに対応させる状態を示した回路図である。
【図１４】図１３の回路図をもとにシミュレーションを行った結果を示す図である。
【図１５】３個のアンテナのそれぞれに３段のバンドパスフィルタ一体型コプレーナ導波路（ＣＰＷ）整合回路のそれぞれを接続して５ＧＨｚ帯の広域化を図った状態を示した回路図である。
【図１６】図１５の回路図をもとにシミュレーションを行った結果を示す図である。
【図１７】従来のフィルタ（超伝導分配器）の一例を示した図である。
【符号の説明】
【００２８】
３  コプレーナフィルタ
５、７  バンドパスフィルタ
９  伝送線路
１１  分岐点
【発明を実施するための最良の形態】
【００２９】
図１は、本発明の実施の形態に係る通信装置の全体を示す概略図である。【００３０】
通信装置１は、アンテナＡＮＴを用いて、外部に信号を送信でき、外部から信号を受信できる。また、通信装置１は、コプレーナフィルタ３を備えている。コプレーナフィルタ３は、パッシブ型スイッチの役割を果たす。パッシブ型スイッチは、Ｐｉｎダイオードなどによるアクティブ型スイッチに比べて、低消費電力という利点がある。【００３１】
図２は、図１の通信装置１のコプレーナフィルタ３により生じる減衰極を調整してフィルタ特性を調整するフィルタ特性調整装置を示す図である。【００３２】
コプレーナフィルタ３は、中心周波数ｆ１GHzのフィルタ特性を有する第１のバンドパスフィルタ５と、中心周波数ｆ２GHzのフィルタ特性を有する第２バンドパスフィルタ７と、第１バンドパスフィルタ５と第２バンドパスフィルタ７とを接続する伝送線路９と、伝送線路９上に形成される分岐点１１とを備える。分岐点１１により、例えばアンテナＡＮＴ側から見ると第１バンドパスフィルタ５と第２バンドパスフィルタ７との２方向に分岐している。【００３３】
フィルタ特性調整装置１３は電気長調節部１５を備え、電気長調節部１５は、シミュレーション等により分岐点１１の伝送線路９上の形成位置を調節し、減衰極が生じる周波数域を調整する。形成位置の調節は、下記に示す分岐点１１から例えば第１バンドパスフィルタ５までの電気長の調節でもよいが、他にも例えば分岐点１１から第１バンドパスフィルタ５までの電気長と分岐点１１から第２バンドパスフィルタ７までの電気長の比により調節してもよい。【００３４】
図３は、直線型のコプレーナフィルタを示した模式図である。【００３５】
ここでの第１バンドパスフィルタ５は、コプレーナ導波路（ＣＰＷ）バンドパスフィルタであり、２段のλ/４共振器で構成され、リプルが０．１dB、中止周波数が５GHz、帯域幅が１００MHz（比帯域が０．０２）に設定されている。ここでの第２バンドパスフィルタ７は、コプレーナ導波路（ＣＰＷ）バンドパスフィルタであり、２段のλ/４共振器で構成され、リプルが０．１dB、中心周波数が２．４５GHz、帯域幅が１００MHz（比帯域が０．０４）に設定されている。なお、これらの設定された中心周波数は、無線ＬＡＮの仕様を考慮したものである。【００３６】
このような構成において、分岐点１１から第１バンドパスフィルタ５までの伝送線路９の電気長Ｌを変更して調節する。【００３７】
図４は、図３における電気長Ｌの調節によるシミュレーション結果を示す図である。図４（Ａ）は電気長Ｌが０umの場合を示し、図４（Ｂ）は電気長Ｌが４０００umの場合を示し、図４（Ｃ）は電気長Ｌが６０００umの場合を示し、図４（Ｄ）は電気長Ｌが８０００umの場合を示す。各図における単位については、縦軸がデシベル（dB）、横軸が周波数（GHz）である。縦軸に示される例えばdB（Ｓ（２，１））において、２は図２におけるポートＰ２に対応し、１は図２におけるポートＰ１に対応し、ポートＰ２からポートＰ１への通過量を表す。【００３８】
dB（Ｓ（２，１））に着目すると、破線で囲まれた部分に示される減衰極が、電気長Ｌが長くなるほど（図４（Ａ）、図４（Ｂ）、図４（Ｃ）、図４（Ｄ）の順番で）高周波域から低周波域に移動している。そして、図４（Ｄ）では、減衰極が２．４５GHzという第２バンドパスフィルタ７の中心周波数域にまで移動できている。【００３９】
このように減衰極を所望の周波数域に移動させることにより、例えばスカート特性をよりシャープなものとでき、またノイズを除去することもでき、フィルタ特性を向上させてフィルタの高性能化を実現できる。【００４０】
なお、このような電気長Ｌの調節により減衰極が生じる周波数域を調整してフィルタ特性を調整可能なフィルタとしては、図３に示す直線型の他、図５に示すようなメアンダ型でもよい。【００４１】
次に、次世代の携帯電話を含めて、今後、今以上に周波数の有効利用が要望されており、そのような周波数域においても本発明が実現可能であることを示す。【００４２】
図６は、図２の第１バンドパスフィルタ５を受信側とし、図２の第２バンドパスフィルタ７を送信側とし、第１バンドパスフィルタ５が２段のλ/４共振器で構成され、リプルが０．１dB、中止周波数が４．６３５GHz、帯域幅が１００MHz（比帯域が０．０２）に設定され、第２バンドパスフィルタ７が２段のλ/４共振器で構成され、リプルが０．１dB、中止周波数が４．９GHz、帯域幅が３０MHz（比帯域が０．００６）に設定された場合の試作フィルタ（分波器）による結果を示す図である。なお、フィルタ両端の抵抗値は５０Ωと設定している。【００４３】
図６では、電気長Ｌを調節した結果、破線で囲まれた部分に示されるように、４．９GHzの周波数域に減衰極を移動させることができている。【００４４】
図７から図１２は、図６に示した結果を得た試作フィルタをさらに工夫することを説明するための図である。【００４５】
図７は図６での試作フィルタと異なって受信側を３段とした場合を示す回路図であり、図８は図７に示したフィルタ構成において電気長Ｌを変更して減衰極が生じる周波数域を調整した後に得られる結果を示す図であり、図９は図８におけるアイソレーションを示す図である。【００４６】
図９に示されるように、アイソレーションは−４３dB以下となっている。【００４７】
図１０は図７に示す回路図と異なって１段飛び越し結合も含められた回路図であり、図１１は図１０に示したフィルタ構成において電気長Ｌを変更して減衰極が生じる周波数域を調整と送信側周波数である４．９GHzに１段飛び越し結合による減衰極を生じさせた結果を示す図であり、図１２は図１１におけるアイソレーションを示す図である。【００４８】
図１２に示すように、４．９GHzでは−１２２dBであり、高いアイソレーション値を実現できている。【００４９】
なお、１段飛び越し結合により減衰極を生じさせることについては、電子情報通信学会技術研究報告（SCE2004-4）,19-24,2004などに開示された技術を用いた。また、上記では３段フィルタにして１段飛び越し結合により１個の減衰極を生じさせたが、フィルタの段数を増やして例えば２段飛び越しにより減衰極を２個生じさせてもよい。【００５０】
また、飛び越し結合により生じた減衰極の制御は、電子情報通信学会技術研究報告（SCE2004-4）,19-24,2004に開示された技術を用い、図５に示すようなメアンダ型のメアンダ半径を変化させることにより可能である。【００５１】
なお、例えば飛び越し結合による中心周波数に対して対称に減衰極を設けた６段のコプレーナ導波路（ＣＰＷ）バンドパスフィルタは８段のチェビシェフ形バンドパスフィルタと同等の特性を持つ結果を得ている。そのため、このように減衰極を適切に利用することにより、フィルタを構成する共振器の数を削減でき、フィルタの小型化を実現できる。【００５２】
最後に、減衰極を適切に利用する必要性は高まっている。例えば、各電波利用業者に帯域幅として２０MHzが与えられたとしても、ガードバンドとして５MHzのような大きな帯域幅が実際には使われないことになる。しかし、減衰極が適切に利用されることによりスカート特性が良くなる結果、ガードバンドを狭くすることができるからである。また、携帯電話だけでなく、非接触ＩＣカード或いはＲＦＩＤタグのように無線通信が多数生じてくるため、小型化もより求められる。このようにフィルタの高性能化を生じさせることにより周波数の有効利用が可能になり、さらには小型化も図られることも可能になるため、減数極を適切に利用する本願発明の産業上の利用意義は大きい。【００５３】
以下、図１３から図１６によって他の実施例を示すとともに、その実施例と上記減衰極制御について触れる。【００５４】
図１３は３個のアンテナのそれぞれに３段のバンドパスフィルタ一体型コプレーナ導波路（ＣＰＷ）整合回路のそれぞれを接続して３つのチャンネルに対応させる状態を示した回路図である。【００５５】
図１３において、アンテナ＃１に対するバンドパスフィルタ及び整合回路の中心周波数ｆ１は５．１ＧＨｚ（帯域１００ＭＨｚ）であり、アンテナ＃２に対するバンドパスフィルタ及び整合回路の中心周波数ｆ２は６．１ＧＨｚ（帯域１００ＭＨｚ）であり、アンテナ＃３に対するバンドパスフィルタ及び整合回路の中心周波数ｆ３は７．１ＧＨｚ（帯域１００ＭＨｚ）である。【００５６】
図１４は図１３の回路図をもとにシミュレーションを行った結果を示す図である。この図より、図１３の回路図から得られる通信装置では、周波数帯域が互いに重ならずに区別されて設定されたフィルタにより、送受信に利用できる複数の周波数帯域が得られることが明らかになっている。なお、得られた複数の周波数帯域の利用の仕方としては、全て送信のためのものでもよく、全て受信のためのものでもよく、一部が送信に用いられて他が受信に用いられてもよい。【００５７】
図１５は３個のアンテナのそれぞれに３段のバンドパスフィルタ一体型コプレーナ導波路（ＣＰＷ）整合回路のそれぞれを接続して５ＧＨｚ帯の広域化を図った状態を示した回路図である。【００５８】
図１５において、アンテナ＃１に対するバンドパスフィルタ及び整合回路の中心周波数ｆ１は５．１０ＧＨｚ（帯域１００ＭＨｚ）であり、アンテナ＃２に対するバンドパスフィルタ及び整合回路の中心周波数ｆ２は５．４４ＧＨｚ（帯域１００ＭＨｚ）であり、アンテナ＃３に対するバンドパスフィルタ及び整合回路の中心周波数ｆ３は５．７９ＧＨｚ（帯域１００ＭＨｚ）である。【００５９】
図１６は図１５の回路図をもとにシミュレーションを行った結果を示す図である。この図より、図１５の回路図から得られる通信装置では、周波数帯域が重なって広域に設定されたフィルタにより、１ＧＨｚに及ぶ帯域幅の送受信に利用できる周波数帯域が得られることが明らかになっている。なお、得られた周波数帯域の利用の仕方としては、全て送信のためのものでもよく、全て受信のためのものでもよい。【００６０】
ここで、図１３から図１６によって得られる通信装置をまとめると、以下のようになる。【００６１】
３つ以上のバンドパスフィルタ手段を備える通信装置であって、前記３つ以上のバンドパスフィルタ手段のうち中心周波数特性が隣り合う少なくとも２つのバンドパスフィルタ手段による周波数帯域が互いに重ならずに区別されて設定される、又は、重なって広域に設定され、互いに異なる周波数の信号を前記フィルタに入力可能、前記フィルタから出力可能又は入出力可能な通信装置である。【００６２】
このような実施例においても、上記した減衰極の制御を利用して、例えばよりシャープなスカート特性を生じさせることは重要であり、また、例えばノイズを消去することも重用である。
【図１】
0004775746.tif 000002
【図２】
0004775746.tif 000003
【図３】
0004775746.tif 000004
【図４】
0004775746.tif 000005
【図５】
0004775746.tif 000006
【図６】
0004775746.tif 000007
【図７】
0004775746.tif 000008
【図８】
0004775746.tif 000009
【図９】
0004775746.tif 000010
【図１０】
0004775746.tif 000011
【図１１】
0004775746.tif 000012
【図１２】
0004775746.tif 000013
【図１３】
0004775746.tif 000014
【図１４】
0004775746.tif 000015
【図１５】
0004775746.tif 000016
【図１６】
0004775746.tif 000017
【図１７】
0004775746.tif 000018